(57)【要約】【課題】  従来に比べて自動化された小便器設置部分の床用タイルの罫書方法を提供する。【解決手段】  入力手段を介して小便器設置部分の床の幅と設置する小便器の品番と品番毎の個数とを手動入力し、前記手動入力された小便器設置部分の床の長辺と小便器の全個数とから小便器の設置間隔を演算手段が算出し、予め記憶手段に記憶したタイルデータファイルと小便器データファイルとからタイルの加工前形状と前記手動入力された品番の小便器の排水口とビス穴のデータとを演算手段が読み出し、算出した小便器の設置間隔と、読み出したタイルの加工前形状と、読み出した小便器の排水口とビス穴のデータとから、入力された品番毎にタイルの罫書線を演算手段が算出する。【選択図】  図２
2008003806.tif 000002
【特許請求の範囲】
【請求項１】
入力手段を介して小便器設置部分の床の幅と設置する小便器の品番と品番毎の個数とを手動入力し、前記手動入力された小便器設置部分の床の長辺と小便器の全個数とから小便器の設置間隔を演算手段が算出し、予め記憶手段に記憶したタイルデータファイルと小便器データファイルとからタイルの加工前形状と前記手動入力された品番の小便器の排水口とビス穴のデータとを演算手段が読み出し、算出した小便器の設置間隔と、読み出したタイルの加工前形状と、読み出した小便器の排水口とビス穴のデータとから、入力された品番毎にタイルの罫書線を演算手段が算出することを特徴とするコンピュータを用いた小便器設置部分の床用タイルの罫書方法。
【請求項２】
タイルデータファイルは複数の品番のタイルのデータを含んでおり、入力手段を介してタイルの品番を手動入力し、演算手段は予め記憶手段に記憶したタイルデータファイルから前記手動入力された品番のタイルの加工前形状を読み出すことを特徴とする請求項１に記載のコンピュータを用いた小便器設置部分の床用タイルの罫書方法。
【請求項３】
入力手段を介して隣接するタイル間の目地幅を手動入力し、算出した小便器の設置間隔と、手動入力した目地幅と、読み出したタイルの加工前形状と、読み出した小便器の排水口とビス穴のデータとから、入力された品番毎にタイルの罫書線を演算手段が算出することを特徴とする請求項１又は２に記載のコンピュータを用いた小便器設置部分の床用タイルの罫書方法。
【請求項４】
入力手段と、タイルデータファイルと小便器データファイルとを記憶した記憶手段と、演算手段とを備え、入力手段を介して小便器設置部分の床の幅と設置する小便器の品番と品番毎の個数とを手動入力し、前記手動入力された小便器設置部分の床の幅と小便器の全個数とから小便器の設置間隔を演算手段が算出し、予め記憶手段に記憶したタイルデータファイルと小便器データファイルとからタイルの加工前形状と前記手動入力された品番の小便器の排水口とビス穴のデータとを演算手段が読み出し、算出した小便器の設置間隔と、読み出したタイルの加工前形状と、読み出した小便器の排水口とビス穴のデータとから、入力された品番毎にタイルの罫書線を演算手段が算出することを特徴とするコンピュータを用いた小便器設置部分の床用タイルの罫書装置。
【請求項５】
タイルデータファイルは複数の品番のタイルのデータを含んでおり、入力手段を介してタイルの品番を手動入力し、演算手段は予め記憶手段に記憶したタイルデータファイルから前記手動入力された品番のタイルの加工前形状を読み出すことを特徴とする請求項４に記載のコンピュータを用いた小便器設置部分の床用タイルの罫書装置。
【請求項６】
入力手段を介して隣接するタイル間の目地幅を手動入力し、算出した小便器の設置間隔と、手動入力した目地幅と、読み出したタイルの加工前形状と、読み出した小便器の排水口とビス穴のデータとから、入力された品番毎にタイルの罫書線を演算手段が算出することを特徴とする請求項４又は５に記載のコンピュータを用いた小便器設置部分の床用タイルの罫書装置。
【発明の詳細な説明】
【技術分野】
【０００１】
本発明は、コンピュータを用いた小便器設置部分の床用タイルの罫書方法及び罫書装置に関するものである。
【背景技術】
【０００２】
従来、小便器設置部分の床用タイルの罫書は、小便器設置部分の床の幅と設置する小便器の個数とから小便器の設置間隔を作業員が手動計算し、商品カタログを参照して設置する品番の小便器の排水口とビス穴の寸法と位置とを作業員が特定し、使用するタイルの加工前形状と小便器の設置間隔と小便器の排水口とビス穴の寸法及び位置とに基づいて、作業員が加工前の使用タイルに罫書きをすることにより行われていた。
【発明の開示】
【発明が解決しようとする課題】
【０００３】
本発明は従来に比べて自動化された小便器設置部分の床用タイルの罫書方法を提供することを目的とする。
【課題を解決するための手段】
【０００４】
上記課題を解決するために、本発明においては、入力手段を介して小便器設置部分の床の幅と設置する小便器の品番と品番毎の個数とを手動入力し、前記手動入力された小便器設置部分の床の幅と小便器の全個数とから小便器の設置間隔を演算手段が算出し、予め記憶手段に記憶したタイルデータファイルと小便器データファイルとからタイルの加工前形状と前記手動入力された品番の小便器の排水口とビス穴のデータとを演算手段が読み出し、算出した小便器の設置間隔と、読み出したタイルの加工前形状と、読み出した小便器の排水口とビス穴のデータとから、入力された品番毎にタイルの罫書線を演算手段が算出することを特徴とするコンピュータを用いた小便器設置部分の床用タイルの罫書方法を提供する。
本発明においては、入力手段と、タイルデータファイルと小便器データファイルとを記憶した記憶手段と、演算手段とを備え、入力手段を介して小便器設置部分の床の幅と設置する小便器の品番と品番毎の個数とを手動入力し、前記手動入力された小便器設置部分の床の幅と小便器の全個数とから小便器の設置間隔を演算手段が算出し、予め記憶手段に記憶したタイルデータファイルと小便器データファイルとからタイルの加工前形状と前記手動入力された品番の小便器の排水口とビス穴のデータとを演算手段が読み出し、算出した小便器の設置間隔と、読み出したタイルの加工前形状と、読み出した小便器の排水口とビス穴のデータとから、入力された品番毎にタイルの罫書線を演算手段が算出することを特徴とするコンピュータを用いた小便器設置部分の床用タイルの罫書装置を提供する。
入力手段を介して小便器設置部分の床の幅と設置する小便器の品番と品番毎の個数とを手動入力すれば、入力された品番毎にタイルの罫書線を演算手段が算出するので、本発明に係る小便器設置部分の床用タイルの罫書方法は従来に比べて自動化されている。本発明に係る小便器設置部分の床用タイルの罫書装置を使用すれば、小便器設置部分の床用タイルの罫書作業が従来に比べて自動化される。
【０００５】
幅寸法が異なる複数の品番のタイルのデータをタイルデータファイルに格納し、入力手段を介してタイルの品番を手動入力し、記憶手段に記憶したタイルデータファイルから前記手動入力された品番のタイルの加工前形状を演算手段が読み出すようにしても良い。小便器の設置間隔に合わせて最適寸法のタイルを選択することが可能になる。
入力手段を介して隣接するタイル間の目地幅を手動入力し、算出した小便器の設置間隔と、手動入力した目地幅と、読み出したタイルの加工前形状と、読み出した小便器の排水口とビス穴のデータとから、入力された品番毎にタイルの罫書線を演算手段が算出するようにしても良い。目地幅を選択できれば、顧客の満足度が向上する。
【発明の効果】
【０００６】
入力手段を介して小便器設置部分の床の幅と設置する小便器の品番と品番毎の個数とを手動入力すれば、入力された品番毎にタイルの罫書線を演算手段が算出するので、本発明に係るコンピュータを用いた小便器設置部分の床用タイルの罫書方法は従来に比べて自動化されている。
【発明を実施するための最良の形態】
【０００７】
図１に示すように３台の小便器α、α、βを設置する場合を想定して、本発明の実施例に係るコンピュータを用いた小便器設置部分の床用タイルの罫書方法を説明する。
本実施例に係るコンピュータを用いた小便器設置部分の床用タイルの罫書方法は、図２に示す装置Ａを用いて実施される。
装置Ａは、入力装置１と、中央処理装置２と、メモリ３と、表示装置４とを備えている。メモリ３には、小便器設置部分の床用タイルの罫書方法を実施するための制御プログラムと、品番毎のタイル寸法の一覧表であるタイルデータファイルと、品番毎の小便器の排出口とビス穴のデータの一覧表である小便器データファイルとが予め記憶されている。
【０００８】
中央処理装置２は、メモリ３の制御プログラムの指令を受けて、以下の手順で小便器設置部分の床用タイルの罫書を行う。
手順１：
タイル施工者が、表示装置４に表示された操作案内を見ながら対話形式で入力装置１を操作し、小便器α、α、βを設置する部分の床（幅Ｗ×奥行Ｄ’の長方形）の幅Ｗと、設置する小便器α、βの品番（α’、β’）と品番毎の個数（２、１）と、幅方向の目地幅（ｗ０、ｗ１、ｗ２、ｗ３）とを手動入力する。上記において、奥行Ｄ’＝Ｄ＋ｗ’である。Ｄは後述する使用タイルの奥行であり、ｗ’は奥行方向の目地幅である。
手順２：
前記手動入力された小便器設置部分の床の幅Ｗと小便器の全個数３とから小便器の設置間隔Ｗ１（Ｗ１＝Ｗ／３）を中央処理装置２が算出する。中央演算装置２は更に、小便器α、α、βの下に敷くタイルの幅を、図３に示すように、（Ｗ１−ｗ１）、（Ｗ１−ｗ２）、（Ｗ１−（ｗ３＋ｗ０））に決定する。
手順３：
予めメモリ３に記憶したタイルデータファイルと小便器データファイルとから、図４に例示するタイルの加工前形状（幅Ｌ×奥行Ｄの方形）と、図５に例示する品番α’の小便器の排水口Ｐ１、ビス穴Ｐ２ａ、Ｐ２ｂ、Ｐ２ｃの寸法φ１、φ２ａ、φ２ｂ、φ２ｃと、位置データ（０、Ｄ１）、（Ｌ２ａ、Ｄ２ａ）、（Ｌ２ｂ、Ｄ２ｂ）、（Ｌ２ｃ、Ｄ２ｃ）とを、中央処理装置２が読み出す。
手順４：
図４に例示する形状の加工前のタイルから図１中左側の小便器αの下に敷くタイルを切り出すために、算出した小便器の設置間隔Ｗ１と、読み出したタイルの加工前形状（幅Ｌ×奥行Ｄの方形）と、入力された目地幅ｗ０と、読み出した小便器の排水口Ｐ１、ビス穴Ｐ２ａ、Ｐ２ｂ、Ｐ２ｃの寸法φ１、φ２ａ、φ２ｂ、φ２ｃと、位置データ（０、Ｄ１）、（Ｌ２ａ、Ｄ２ａ）、（Ｌ２ｂ、Ｄ２ｂ）、（Ｌ２ｃ、Ｄ２ｃ）とに基づいて、図６に破線で示す罫書線を中央処理装置２が算出する。
図４に例示する形状の加工前のタイルから図１中右側の小便器αの下に敷くタイルを切り出すために、算出した小便器の設置間隔Ｗ１と、読み出したタイルの加工前形状（幅Ｌ×奥行Ｄの方形）と、入力された目地幅ｗ０、ｗ１と、読み出した小便器の排水口Ｐ１、ビス穴Ｐ２ａ、Ｐ２ｂ、Ｐ２ｃの寸法φ１、φ２ａ、φ２ｂ、φ２ｃと、位置データ（０、Ｄ１）、（Ｌ２ａ、Ｄ２ａ）、（Ｌ２ｂ、Ｄ２ｂ）、（Ｌ２ｃ、Ｄ２ｃ）とに基づいて、図７に破線で示す罫書線を中央処理装置２が算出する。
手順５：
図４に例示する形状の加工前のタイルから、品番β’の小便器βの下に敷くタイルを切り出すために、中央処理装置２が、手順３、４と同様の手順で、罫書線を算出する。
上記手順１〜５により、品番α’の小便器αの下に敷くタイルを切り出すための罫書線と品番β’の小便器βの下に敷くタイルを切り出すための罫書線とが算出される。
図６、７に例示するように、タイルの加工前形状に算出された罫書線が重畳された図形が表示装置４に表示される。タイル加工者は、表示装置４を見て罫書線を確認する。
【０００９】
上記罫書線の情報をＮＣ切断機に入力して、図４に例示する形状の加工前のタイル２枚から品番α’の左側の小便器αの下に敷くタイルと右側の小便器αの下に敷くタイルとを切削加工し、図４に例示する形状の加工前のタイル１枚から品番β’の小便器βの下に敷くタイルを１枚切削加工する。或いは、上記罫書線を図４に例示する形状の加工前のタイルに転写して、品番α’の左側の小便器αの下に敷くタイルと右側の小便器αの下に敷くタイルとを手動で切削加工し、品番β’の小便器βの下に敷くタイル１枚を手動で切削加工する。
【００１０】
入力装置１を介して小便器α、α、βを設置する部分の床（幅Ｗ×奥行Ｄ’の長方形）の幅Ｗと、設置する小便器α、βの品番（α’、β’）と品番毎の個数（２、１）と、幅方向の目地幅（ｗ０、ｗ１、ｗ２、ｗ３）とを手動入力すれば、入力された品番毎にタイルの罫書線を中央処理装置２が算出するので、本実施例に係る小便器設置部分の床用タイルの罫書方法は従来に比べて自動化されている。本実施例に係る小便器設置部分の床用タイルの罫書装置Ａを使用すれば、小便器設置部分の床用タイルの罫書作業が従来に比べて自動化される。
幅寸法Ｌが異なる複数の品番のタイルのデータをタイルデータファイルに格納し、入力装置１を介してタイルの品番を手動入力し、メモリ３に記憶したタイルデータファイルから前記手動入力された品番のタイルの加工前形状を中央処理装置２が読み出し、読み出した加工前形状のタイルから品番α’の小便器αの下に敷くタイルを切り出すための罫書線と品番β’の小便器βの下に敷くタイルを切り出すための罫書線とを中央処理装置２が算出するようにしても良い。小便器の設置間隔に合わせて最適寸法のタイルを選択することが可能になる。
隣接するタイル間の目地幅を既定値にしても良い。手動入力の手間が省ける。
【図面の簡単な説明】
【００１１】
【図１】小便器の配置例を示す図である。
【図２】本発明の実施例に係るコンピュータを用いた小便器設置部分の床用タイルの罫書方法を実施するための装置のブロック図である。
【図３】本発明の実施例において、中央処理装置が決定したタイルの配置を示す図である。
【図４】加工前のタイル形状の一例を示すタイルの上面図である。
【図５】小便器の排水口とビス穴のデータの一例を示す図である。
【図６】タイルの罫書線の例を示す図である。
【図７】タイルの罫書線の例を示す図である。
【符号の説明】
【００１２】
Ａ  コンピュータを用いた小便器設置部分の床用タイルの罫書方法を実施するための装置
１  入力装置
２  中央処理装置
３  メモリ
４  表示装置
Ｐ１  排水口
Ｐ２ａ、Ｐ２ｂ、Ｐ２ｃ  ビス穴
【図１】
2008003806.tif 000003
【図２】
2008003806.tif 000004
【図３】
2008003806.tif 000005
【図４】
2008003806.tif 000006
【図５】
2008003806.tif 000007
【図６】
2008003806.tif 000008
【図７】
2008003806.tif 000009